(57)【要約】  【課題】直設冷却方式の冷蔵室と間接冷却方式の冷凍室を備え、冷凍室の扉を引き出し式とすることにより使い勝手のより冷蔵庫を提供するものである。  【解決手段】冷蔵室１と冷凍室８にそれぞれシートオンチューブ１６と蒸発器２０とを備え、冷凍室扉１０を引き出し式とする事により食品の取り出しの際に屈むことなく食品を容易に取り出すことができ、庫内の温度上昇を低減することができるので、圧縮機の運転率を下げることにより省エネルギー化を図ることが可能となるものである。【選択図】図１
2006234219.tif 000002
【特許請求の範囲】
【請求項１】
直接冷却方式にて冷却される最上段の冷蔵室と、間接冷却方式にて冷却される最下段の冷凍室と冷蔵室の庫内前方開口を閉塞する回転式扉と、冷凍室の庫内前方を閉塞する引き出し式扉とからなる冷蔵庫。
【請求項２】
冷凍室と繋がるダクトと、冷気の吐出吸込口と、ダクト内にダンパーを設けた風路と、最上段の冷蔵室と最下段の冷凍室の間に設けられた第３の温度帯からなる第３室と、第３室の庫内前方を閉塞する引き出し式扉とからなる請求項１に記載の冷蔵庫。
【請求項３】
冷凍室上段に棚を設けた事からなる請求項１に記載の冷蔵庫。
【請求項４】
直接冷却方式にて冷却される最上段の冷蔵室と、間接冷却方式にて冷却される最下段の冷凍室と冷凍室の庫内前方を閉塞する回転式扉と、回転式扉に設けられた扉棚とからなる冷蔵庫。
【請求項５】
第３室と独立製氷室とからなり、第３室庫内前方を閉塞する引き出し式扉と独立製氷室庫内前方を閉塞する引き出し式扉とからなる請求項１または２に記載の冷蔵庫。
【発明の詳細な説明】
【技術分野】
【０００１】
本発明は直接冷却方式にて冷却する冷蔵室と、間接冷却方式にて冷却される冷凍室と異なる第３室を有する冷蔵庫に関するものである。
【背景技術】
【０００２】
一般に冷蔵庫は温度が−４℃程度の冷蔵室、−１℃程度の低温室、６℃程度の野菜室、−１８℃程度の冷凍室の４つの収納室を備えている（例えば、特許文献１参照）。
【０００３】
図６は、従来の冷蔵庫の縦断面図である。図６において、冷蔵庫本体１０１は、上部に冷蔵室１０２、冷蔵室を区画する第１の区画壁１０３、真中に冷凍室１０４、冷凍室を区画する第２の区画壁１０５、下部に野菜室１０６を設け、冷凍室１０５後方に設けた冷却器１０７、電動ファン１０８、そして圧縮機１０９を備え、それぞれ設けた冷気風路１１０を介して、電動ファン１０８により冷気をそれぞれの室に送って設定の温度に冷却している。
【特許文献１】特開平６−２７３０３１号公報
【発明の開示】
【発明が解決しようとする課題】
【０００４】
しかしながら、従来の構成では、全部の室に冷却器１０７で熱交換した冷気を電動ファン１０８で送って冷却しているので、通常時に１台の圧縮機１０９に全部の室の負荷がかかり運転による電力量が大きい。また、多量の食品を急に補充したり、高外気温等の負荷時では、１台の圧縮機１０９に負荷がかかり寿命に影響を与えるだけでなく、特に冷凍室１０４等では補充した食品に時間を要して好ましくなく、さらに圧縮機１０９の運転による電力量が大きくかかり、節電及び環境上からも好ましくなかった。
【０００５】
さらに冷蔵庫本体１０１のスペースに、各室へ冷気を導く冷気風路１１０をそれぞれ設けなければならなく、従って冷蔵庫本体としての収納容積にも悪影響を与え、かつ冷気風路１１０の構造を複雑にすると共に、それによる冷気漏れの要因にもなり、好ましくなかった。
【０００６】
さらにまた野菜室１０６が冷蔵庫本体１０１下部にあるので、重量のある野菜の出し入れは腰を屈めなければならない使い勝手の悪いものであった。
【０００７】
本発明は、上記従来の課題を解決するもので、直接冷却方式にて冷却される最上段の冷蔵室と、間接冷却方式にて冷却される最下段の冷凍室と冷蔵室の庫内前方開口を閉塞する回転式扉と、冷凍室の庫内前方を閉塞する引き出し式扉とからなる冷蔵庫を提供することを目的とする。
【課題を解決するための手段】
【０００８】
上記従来の課題を解決するために、本発明の冷蔵庫は、直接冷却方式にて冷却される最上段の冷蔵室と、間接冷却方式にて冷却される最下段の冷凍室と冷蔵室の庫内前方開口を閉塞する回転式扉と、冷凍室の庫内前方を閉塞する引き出し式扉を備えたものである。
【０００９】
これによって、最も温度の低い冷凍室を下部に置く事により、伝導及び輻射熱による影響を低減でき、圧縮機及び電動ファンの負可の低減による節電を図る事ができる。
【発明の効果】
【００１０】
本発明の冷蔵庫は、冷凍室、独立製氷室、第３室を引き出し式にする事により、食品の取り出しの際に、屈まずに食品の出し入れが出来る使い勝手の良い冷蔵庫を提供できる。
【００１１】
さらに、冷凍、氷、新温度、冷蔵と個々の食品に応じて収納する事ができ、扉の開放時間を最小限にでき、庫内の温度上昇を低減する事により、圧縮機の運転率を下げる事により、節電を図る事ができる。
【発明を実施するための最良の形態】
【００１２】
請求項１に記載の発明は、直接冷却方式にて冷却される最上段の冷蔵室と、間接冷却方式にて冷却される最下段の冷凍室と冷蔵室の庫内前方開口を閉塞する回転式扉と、冷凍室の庫内前方を閉塞する引き出し式扉を備えたものであり、冷凍食品の取り出しの際に、屈まずに食品の出し入れが可能となる。
【００１３】
請求項２に記載の発明は、請求項１に記載の発明において、冷凍室と繋がるダクトと、冷気の吐出吸込口と、ダクト内にダンパーを設けた風路と、最上段の冷蔵室と最下段の冷凍室の間に設けられた第３の温度帯からなる第３室と、第３室の庫内前方を閉塞する引き出し式扉を備えたものであり、子供の手の届く範囲（１ｍ）以内に冷蔵〜冷凍を設ける事ができる。
【００１４】
請求項３に記載の発明は、請求項１に記載の発明において、冷凍室上段に棚を備えたものであり、外気温の高い地域の使用者の使用頻度の高い、製氷に際しては、水をこぼす事無く製氷をする事ができる。
【００１５】
請求項４に記載の発明は、直接冷却方式にて冷却される最上段の冷蔵室と、間接冷却方式にて冷却される最下段の冷凍室と冷凍室の庫内前方を閉塞する回転式扉と、回転式扉に設けられた扉棚を備えたものであり、使用頻度の高い食品の使い勝手を向上し、冷凍室内の温度を上昇させる事なく、圧縮機及び電動ファンの負荷の低減による節電を図る事が可能となる。
【００１６】
請求項５に記載の発明は、請求項１または２に記載の発明において、第３室と独立製氷室とからなり、第３室庫内前方を閉塞する引き出し式扉と独立製氷室庫内前方を閉塞する引き出し式扉を備えたものであり、冷凍、氷、新温度、冷蔵と個々の食品に応じて収納する事ができ、扉の開放時間を最小限にでき、庫内の温度上昇を低減する事により、圧縮機の運転率を下げる事により、節電を図る事が可能となる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の縦断面図、図２は同実施の形態の冷蔵庫の冷凍サイクル概略図である。
【００１９】
図１において、冷蔵庫１は内箱２と外箱３との間に断熱材４が充填された断熱箱体５によって構成され、上から冷蔵室６、第３室７、冷凍室８を有しており、前面は冷蔵室回転式扉９、第３の室引き出し式扉１０、冷凍室引き出し式扉１１となっている。冷蔵室６と第３室７は断熱区画壁１２によって仕切られている。断熱区画壁１２の奥には、冷凍室８と繋がるダクト１３が設置されている。
【００２０】
冷蔵室６内には食品を収納するための冷蔵室棚１４及び野菜ケース１５が配置されている。また、冷蔵室６の内箱２背面１６と断熱材４の間には背面１６に接してシートオンチューブ１７が配置され、冷蔵室６庫内はシートオンチューブ１７によって冷却される冷却壁面を有する構成となっている。
【００２１】
冷凍室８内にある冷却室１８は、断熱効果を有する仕切り板１９によって仕切られている。冷却室１８内には、冷凍室ファン２０と蒸発器２１と除霜用ヒータ２２が配置されている。仕切り板１９には冷凍室ファン２０から吐出された冷気を冷凍室８内にある食品を収納する為のケース２３、２４及び棚２５へ吐出される吐出口２６を構成するとともに、断熱区画壁１２の奥にある第３室７へ繋がるダクト１３へ繋がる風路も構成している。
【００２２】
２７は冷凍室ケース２３、２４を引き出す為のレールである。
【００２３】
第３室７内は、食品を収納する為のケース２９があり、引き出しレール３０がある。背面にはダンパー３１を内部に有したダクト３２が配置されている。ダクト３２には、断熱区画壁１２の奥にあるダクト１３と接続され、また、ダンパー３２下流側に、第３室７内へ吐出する吐出口３３が構成されている。
【００２４】
図２は冷凍サイクルを示すものである。圧縮機３４から吐出された冷媒は、凝縮器３５で凝縮され、三方弁３６にて流路を切り替えている。一方は、キャピラリーチューブ３７で減圧され、シートオンチューブ１７、蒸発器２１にて蒸発し、アキュームレータ３９を介して、再度、圧縮機３４へ戻る冷蔵室・冷凍室同時冷却サイクルを構成している。また、他方は、キャピライリーチューブ３８で減圧され、蒸発器２１にて蒸発し、アキュームレータ３９を介して、圧縮機３４へ戻る冷凍室単独冷却サイクルを構成している。したがって、冷蔵室６は内箱２背面１６に接しているシートオンチューブ１７によって冷却され、冷凍室８は蒸発器２１の蒸発潜熱を冷凍室ファン２０により攪拌し冷却している。
【００２５】
以上のように構成された冷蔵庫について、以下その動作、作用を説明する。
【００２６】
まず、圧縮機３４が稼動することで、冷媒が圧縮、凝縮、減圧されることによりシートオンチューブ１７、蒸発器２１が蒸発潜熱によって冷却される。
【００２７】
シートオンチューブ１７においては、冷蔵室６の内箱２の背面１６に接しており、冷蔵室６の内箱２の背面１６が冷却壁面となり、冷蔵室６内の冷蔵室棚１４、野菜ケース１５の冷却を行っている。
【００２８】
一方、冷却室内１８にある蒸発器２１においては、冷凍室ファン２０によって冷気を吐出させ、仕切り板１９内の風路を通過し、吐出口２６より冷凍室ケース２３、２４へ吐出される。吐出した冷気は冷凍ケース２３、２４と熱交換した後、仕切り板１９下部より吸込まれる。
【００２９】
さらに、冷凍室ファン２０によって吐出された冷気は仕切り板１９内の風路を通過するが、一部冷気は仕切り板１９の奥にあるダクト１３へ流入し、第３室７内背面にあるダクト３２へ循環していく。ダクト３２に流入した冷気はダンパー３１を通過し、吐出口３３よりケース２９に吐出され、ケース２９と熱交換した後、背面にあるダクト３３より吸い込まれ、冷却室１８へ戻される。このとき、ダンパー３１の感熱部は第３室７内の温度を検知しており、第３室７の温度変化により、ダンパー３１の設定温度範囲内でダンパー３１を通過する冷気量をコントロールし、第３室７の温度を一定に保っている。
【００３０】
以上のように、本実施例の形態では最も温度の低い冷凍室８を下部に置く事により、伝導及び輻射熱による影響を低減でき、圧縮機３４及び冷凍室ファン２０の負可の低減による節電を図る事ができる。
【００３１】
また、冷蔵室６を直接冷却方式とする事により、冷蔵室６内の高湿化を保つ事ができ、冷凍室８は間接冷却方式とする事により霜取りの必要が無く、近年の冷凍食品の増加に伴い、従来の直接冷却方式と比べ、冷凍室庫内温度を上昇させ、霜取りする必要がなく、冷凍食品をおいしく保存できる。
【００３２】
また、冷蔵室６と冷凍室８を遮断する事により、風路をシールする必要がなくなり、温度バラツキが無くなり、着霜等の問題の無い冷蔵庫を供給できる。
【００３３】
さらに、使用頻度の高い最上段を直接冷却方式の冷蔵室６とする事により、冷蔵室６を冷却する為の風路を構成する部材の必要が無く、容積効率の高い冷蔵室６を提供できる。さらに、冷凍室８下段を引き出し式扉１１にする事により、冷凍食品の取り出しの際に、屈まずに食品の出し入れが出来る使い勝手の良い冷蔵庫を提供できる。
【００３４】
（実施の形態２）
本実施の形態の冷蔵庫について、以下、実施の形態１と異なる部分を中心にその動作、作用を説明する。
【００３５】
冷凍室８と繋がるダクト３２と、冷気の吐出吸込口３３と、ダクト３２内にダンパー３１を設けた風路と、最上段の冷蔵室６と最下段の冷凍室８の間に設けられた第３の温度帯からなる第３室７と、第３室７の庫内前方を閉塞する引き出し式扉１０とからなるものである。
【００３６】
以上のように、本実施の形態では、第３室７を任意温度にコントロールすることができ、使い勝手を向上することが可能となる。
【００３７】
さらに、子供の手の届く範囲（１ｍ）以内に冷蔵〜冷凍を設ける事ができ、使い勝手の良い冷蔵庫を供給できる。
【００３８】
さらに、第３室を引き出し式扉１０にする事により、ケース２９の引き出し代を向上する事ができ、食品の使い忘れを無くす事ができる。
【００３９】
さらに、第３室７を使用しない場合は、第３室７に冷気を循環する必要がなくなり、強制的にダンパー３１を閉じる事により、無駄な冷却を防止し、消費電力量を抑制できる。
【００４０】
さらに、冷却室１８内の蒸発器２１を除霜する際、ダンパー３１を閉じることにより、第３室７への暖湿気侵入を防止することができ、着霜防止及び、除霜効率向上による消費電力量抑制が可能となる。
【００４１】
（実施の形態３）
本実施の形態の冷蔵庫について、以下、実施の形態１と異なる部分を中心にその動作、作用を説明する。
【００４２】
冷凍室８の上段に食品を収納する為の棚２５を備えたものである。冷凍室扉１１を開閉する際に棚２５は固定されており、同期する事なく食品を収納できる。
【００４３】
以上のように、本実施の形態では、冷凍室８上段に冷凍室棚２５を備えたものであり、外気温の高い地域の使用者の使用頻度の高い、製氷に際しては、水をこぼす事無く製氷をする事ができる。
【００４４】
（実施の形態４）
図３は本発明の実施の形態４における冷蔵庫の縦断面図を示すものである。尚、実施の形態１、実施の形態２もしくは実施の形態３と同一構成については、同一符号を付してその詳細な説明は省略する。
【００４５】
図３において、４０は冷凍室回転式扉で４１、４２は扉内に配設された扉棚である。４３は冷凍室８内に配設された食品収納容器である。
【００４６】
本実施の形態の冷蔵庫について、以下、実施の形態１と異なる部分を中心にその動作、作用を説明する。
【００４７】
直接冷却方式にて冷却される最上段の冷蔵室６と、間接冷却方式にて冷却される最下段の冷凍室８と冷凍室８の庫内前方を閉塞する回転式扉４０と、回転式扉４０に設けられた扉棚４１、４２を備えたものであり、使用頻度の高い食品の使い勝手を向上し、冷凍室８内の温度を上昇させる事なく、圧縮機３４及び冷凍室ファン２０の負荷の低減による節電を図る事が可能となる。
【００４８】
（実施の形態５）
図４は本発明の実施の形態５における冷蔵庫の縦断面図を示すものである。図５は同実施の形態５の冷蔵庫の外観斜視図を示すものである。尚、実施の形態１、実施の形態２もしくは実施の形態３と同一構成については、同一符号を付してその詳細な説明は省略する。
【００４９】
図４において、上部区画壁１２近傍には自動製氷装置４４を構成する製氷皿４５、内部に複数のギアとモータを有し製氷皿４５を回転動作させる駆動装置４６を有し、製氷皿４５の下方には貯氷容器４７を引き出し可能に配している。また、冷蔵室６の下部の区画壁１２近傍には自動製氷装置４４を構成する給水タンク４８、給水タンク４８内の水を製氷皿４５に供給するための給水パイプ４９、５０給水ポンプ５１を備えている。なお、給水ポンプ５１は内部にギアを有する自吸性ポンプであり、給水パイプ４９、５０と略密閉的に接続されている。一方、給水パイプ５０の一端は、製氷皿４５の上面に配置した開口ノズル５２と接続され、開口ノズル５２から製氷皿４５に所定量の水が注水される。
【００５０】
図５において、５３は独立製氷室で５４は独立製氷室５３庫内前方を閉塞する引き出し式扉で、５５は第３室で、５６は第３室の庫内前方を閉塞する引き出し式扉である。
【００５１】
以上のように構成された冷蔵庫について、以下その動作、作用を説明する。
【００５２】
冷凍、氷、新温度、冷蔵と個々の食品に応じて収納する事ができ、扉の開放時間を最小限にでき、庫内の温度上昇を低減する事により、圧縮機３４の運転率を下げる事により、節電を図る事ができる。
【産業上の利用可能性】
【００５３】
以上のように、発明にかかる冷蔵庫は、引き出し式の扉を活用する事により、食品の出し入れがし易く、庫内の温度上昇を低減する事ができるので、圧縮機の運転率を下げる事により節電を図る事ができるので、冷凍装置を備えた冷却貯蔵庫等の用途にも適用できる。
【図面の簡単な説明】
【００５４】
【図１】本発明の実施の形態１における冷蔵庫の縦断面図
【図２】同実施の形態の冷蔵庫の冷凍サイクル概略図
【図３】本発明の実施の形態４における冷蔵庫の縦断面図
【図４】本発明の実施の形態５における冷蔵庫の縦断面図
【図５】同実施の形態の冷蔵庫の外観斜視図
【図６】従来技術における冷蔵庫の縦断面図
【符号の説明】
【００５５】
６    冷蔵室
７    第３室
８    冷凍室
９    回転式扉
１０、１１、５４  引き出し式扉
１３  ダクト
２０  ダンパー
２５、４１、４２  棚
４０  回転式扉
５３  独立製氷室
５５  第３室
【図１】
2006234219.tif 000003
【図２】
2006234219.tif 000004
【図３】
2006234219.tif 000005
【図４】
2006234219.tif 000006
【図５】
2006234219.tif 000007
【図６】
2006234219.tif 000008